(57)【要約】【課題】電力系統シミュレータにおいて、データ入力に要する手間を減らすことが可能であり、かつシミュレーション結果の精度を確保可能な負荷曲線モデルを生成するための技術を提供する。【解決手段】負荷モデル曲線の生成方法は、負荷曲線の形状を特徴づけるための複数の特徴点を結んだ線を数式化した、時間と負荷との関係を示す標準関数を受け付けるステップと、負荷ノードにおける、複数の特徴点の各々に対応する負荷および時間の情報を受け付けるステップ（Ｓ３）と、複数の特徴点の各々に対応する情報と標準関数とに基づいて、負荷曲線モデルを生成するステップ（Ｓ４）とを備える。ユーザは、特徴点の情報のみを入力するだけでよくなる。さらに、負荷の種別ごとに異なりうる負荷変動の特徴を、その標準関数に反映させることができる。【選択図】図９
2009213328.tif 000002
【特許請求の範囲】
【請求項１】
配電系統で生じる電気的現象をシミュレーションする電力系統シミュレータにおいて、前記配電系統上の負荷ノードでの負荷曲線のモデルを生成する方法であって、
前記負荷曲線の形状を特徴づけるための複数の特徴点を結んだ線を数式化した、時間と負荷との関係を示す標準関数を受け付けるステップと、
前記負荷ノードにおける、複数の特徴点の各々に対応する負荷および時間の情報を受け付けるステップと、
前記複数の特徴点の各々に対応する前記情報と前記標準関数とに基づいて、前記モデルを生成するステップとを備える、電力系統シミュレータにおける負荷曲線モデルの生成方法。
【請求項２】
前記モデルを生成するステップは、前記標準関数における変数の係数および定数項を前記情報に基づいて変更するステップを含む、請求項１に記載の電力系統シミュレータにおける負荷曲線モデルの生成方法。
【請求項３】
前記負荷ノードにおける負荷の種類を決定する指示に応じて、複数の前記標準関数の中から対応する標準関数を選択するステップをさらに備える、請求項１に記載の電力系統シミュレータにおける負荷曲線モデルの生成方法。
【請求項４】
前記標準関数は、複数の関数を含み、
前記複数の関数のうち少なくとも１つの関数を新しい関数に変更する指示に応じて前記標準関数を更新するステップをさらに備える、請求項１から３のいずれか１項に記載の電力系統シミュレータにおける負荷曲線モデルの生成方法。
【請求項５】
請求項１から４のいずれか１項に記載の電力系統シミュレータにおける負荷曲線モデルの生成方法によって生成された前記モデルを用いて、前記配電系統で生じる電気的現象をシミュレーションするステップを備える、電力系統シミュレーション方法。
【請求項６】
配電系統で生じる電気的現象をシミュレーションする電力系統シミュレータであって、
前記負荷曲線の形状を特徴づけるための複数の特徴点を結んだ線を数式化した、時間と負荷との関係を示す標準関数を記憶する記憶部と、
ユーザにより入力された、前記負荷ノードにおける、複数の特徴点の各々に対応する負荷および時間の情報を受け付ける入力部と、
前記複数の特徴点の各々に対応する前記情報と前記標準関数とに基づいて、前記モデルを生成する演算部とを備える、電力系統シミュレータ。
【請求項７】
前記演算部は、前記標準関数における変数の係数および定数項を前記情報に基づいて変更する、請求項６に記載の電力系統シミュレータ。
【請求項８】
前記演算部は、前記負荷ノードにおける負荷の種類を決定する指示に応じて、複数の前記標準関数の中から対応する前記標準関数を選択する、請求項６に記載の電力系統シミュレータ。
【請求項９】
前記標準関数は、複数の関数を含み、
前記演算部は、ユーザから、前記複数の関数のうち少なくとも１つの関数を新しい関数に変更する指示を受けた場合に、前記指示に応じて前記標準関数を更新する、請求項６から８のいずれか１項に記載の電力系統シミュレータ。
【請求項１０】
前記演算部は、生成した前記モデルを用いて、前記配電系統で生じる電気的現象をシミュレーションする、請求項６から９のいずれか１項に記載の電力系統シミュレータ。
【発明の詳細な説明】
【技術分野】
【０００１】
本発明は、配電系統に生じる電気的現象をシミュレーションするための電力系統シミュレータにおける負荷曲線モデルの生成方法、その生成された負荷曲線モデルを用いた電力系統シミュレーション方法、および、負荷曲線モデル生成と電力系統シミュレーションとを実行する電力系統シミュレータに関する。
【背景技術】
【０００２】
配電系統に発生しうる電圧管理上の様々な問題については、対象系統ごとにその対策を検討することが必要となる。この検討に関する業務の精度向上および効率化を図るためのツールの１つとして、シミュレーション装置（以下、「電力系統シミュレータ」と呼ぶ）が提案されている。電力系統シミュレータとしては、たとえば、実際の電力系統を縮小した電気回路を構成し、その回路に電圧を印加することにより電力系統の応動を模擬するもの、電力系統の各構成要素を数式によってモデル化し、計算機を用いてその数式を解くことにより、電力系統の応動を模擬するもの、両者を組み合わせたもの等がある。
【０００３】
たとえば、非特許文献１には、配電系統の構成変更や負荷の変動等の複雑な組み合わせパターンをシミュレーションし、系統上の電圧分布の解析等をパーソナルコンピュータによって容易に行なうことが可能な解析ツールが提案されている。
【非特許文献１】大森俊也、他５名、「分散電源連系時の影響評価解析ツールの開発」、平成１４年電気学会全国大会講演論文集、社団法人電気学会、２００２年３月、第６分冊、ｐ．１０６
【発明の開示】
【発明が解決しようとする課題】
【０００４】
電力系統での負荷変動に関するシミュレーションを行なうため、シミュレータを使用するユーザは、負荷ノードごとに負荷の時間変動（いわゆる「負荷曲線」）のデータをシミュレータに入力する必要がある。たとえば、１日の負荷変動に関するシミュレーションを行なう場合、所定の時間間隔（たとえば１時間）で区切った時間断面ごとに負荷のデータが入力される。この場合、負荷ノードの数とシミュレーションを行なう時間断面（上述の例では２４）との積で決定される数のデータをユーザはシミュレータに入力する必要がある。したがって、データの入力作業に要するユーザの負担が多大なものとなる。
【０００５】
一方、各負荷ノードに対応する入力データの数を減らすことによって、ユーザのデータ入力作業を省力化することは可能である。しかし入力データの数を単純に減らした場合には、シミュレーション結果の精度への影響が生じることが考えられる。
【０００６】
本発明は、上述の課題を解決するものであって、その目的は、電力系統シミュレータにおいて、データ入力に要する手間を減らすことが可能であり、かつシミュレーション結果の精度を確保可能な負荷曲線モデルを生成するための技術を提供することである。
【課題を解決するための手段】
【０００７】
本発明は要約すれば、配電系統で生じる電気的現象をシミュレーションする電力系統シミュレータにおいて、配電系統上の負荷ノードでの負荷曲線のモデルを生成する方法であって、負荷曲線の形状を特徴づけるための複数の特徴点を結んだ線を数式化した、時間と負荷との関係を示す標準関数を受け付けるステップと、負荷ノードにおける、複数の特徴点の各々に対応する負荷および時間の情報を受け付けるステップと、複数の特徴点の各々に対応する情報と標準関数とに基づいて、モデルを生成するステップとを備える。
【０００８】
好ましくは、モデルを生成するステップは、標準関数における変数の係数および定数項を情報に基づいて変更するステップを含む。
【０００９】
好ましくは、電力系統シミュレータにおける負荷曲線モデルの生成方法は、負荷ノードにおける負荷の種類を決定する指示に応じて、複数の標準関数の中から対応する標準関数を選択するステップをさらに備える。
【００１０】
好ましくは、標準関数は、複数の関数を含む。電力系統シミュレータにおける負荷曲線モデルの生成方法は、複数の関数のうち少なくとも１つの関数を新しい関数に変更する指示に応じて標準関数を更新するステップをさらに備える。
【００１１】
本発明の他の局面に従うと、電力系統シミュレーション方法であって、上述のいずれかに記載の電力系統シミュレータにおける負荷曲線モデルの生成方法によって生成されたモデルを用いて、配電系統で生じる電気的現象をシミュレーションするステップを備える。
【００１２】
本発明のさらに他の局面に従うと、配電系統で生じる電気的現象をシミュレーションする電力系統シミュレータである。電力系統シミュレータは、負荷曲線の形状を特徴づけるための複数の特徴点を結んだ線を数式化した、時間と負荷との関係を示す標準関数を記憶する記憶部と、ユーザにより入力された、負荷ノードにおける、複数の特徴点の各々に対応する負荷および時間の情報を受け付ける入力部と、複数の特徴点の各々に対応する情報と標準関数とに基づいて、モデルを生成する演算部とを備える。
【００１３】
好ましくは、演算部は、標準関数における変数の係数および定数項を情報に基づいて変更する。
【００１４】
好ましくは、演算部は、負荷ノードにおける負荷の種類を決定する指示に応じて、複数の標準関数の中から対応する標準関数を選択する。
【００１５】
好ましくは、標準関数は、複数の関数を含む。演算部は、ユーザから、複数の関数のうち少なくとも１つの関数を新しい関数に変更する指示を受けた場合に、指示に応じて標準関数を更新する。
【００１６】
好ましくは、演算部は、生成したモデルを用いて、配電系統で生じる電気的現象をシミュレーションする。
【発明の効果】
【００１７】
本発明によれば、電源系統シミュレーションを実行する際に、負荷曲線に関するデータをシミュレーション装置に入力するための手間を減らすことが可能になる。
【００１８】
さらに、本発明によれば、シミュレーション結果についての精度を確保することができる。
【発明を実施するための最良の形態】
【００１９】
この発明の実施の形態について、図面を参照しながら詳細に説明する。なお、図中の同一または相当部分については、同一符号を付してその説明は繰返さない。
【００２０】
図１は、本実施の形態に従う負荷曲線モデルの生成処理および電力系統シミュレーションを実行するコンピュータ１００の構成の一例を示した図である。図１を参照して、コンピュータ１００には、ユーザによる各種情報や指示の入力装置として、マウス１１４と、キーボード１１６が接続される。また、コンピュータ１００には、たとえばシミュレーション結果を出力するための出力装置として、ディスプレイ１１８が接続される。
【００２１】
コンピュータ１００は、ＣＰＵ（Central Processing Unit）１０２と、オペレーティングシステムに送られたプログラムなどを不揮発的に記憶したＲＯＭ（Read Only Memory）１０４と、実行されるプログラムをロードするための、およびプログラム実行中のデータを一時的に記憶するためのＲＡＭ（Random Access Memory）１０６と、ハードディスク（ＨＤＤ）１０８と、ＣＤ−ＲＯＭ（Compact Disc Read Only Memory）ドライブ１１０とを備える。ＣＤ−ＲＯＭドライブ１１０には、ＣＤ−ＲＯＭ１１２が装着される。ＣＰＵ１０２と、ＲＯＭ１０４と、ＲＡＭ１０６と、ハードディスク１０８と、ＣＤ−ＲＯＭドライブ１１０とは、バス１２０を介して相互に情報を授受する。
【００２２】
負荷曲線モデルを生成するためのプログラム、および電力系統シミュレーションを実行するためのプログラムはＣＤ−ＲＯＭ１１２に記録される。一般的にこうしたプログラムはＣＤ−ＲＯＭ１１２などの記録媒体に記録されて流通し、ＣＤ−ＲＯＭドライブ１１０などにより記録媒体から読取られてハードディスク１０８に一旦記憶される。プログラムは、ハードディスク１０８からＲＡＭ１０６に読出されてＣＰＵ１０２により実行される。コンピュータ１００は、そのプログラムがＣＰＵ１０２で実行されることにより、本実施の形態に従う電力系統シミュレータとして機能する。ＣＰＵ１０２は、本実施の形態に従う電力系統シミュレータにおける「演算部」に対応する。なおプログラムおよびそのプログラムを記録したＣＤ−ＲＯＭも本発明の１つの実施態様である。
【００２３】
図２は、本実施の形態に係る電力系統シミュレーションに用いられる配電系統モデルを示した図である。なお図２に示した配電系統モデルは、ディスプレイ１１８の画面に表示される。図２を参照して、配電系統１は、電源２と、母線４と、複数の遮断器６と、複数の配電線８と、負荷ノード１０とを含む。
【００２４】
電源２は、発電所、発電所からの電力を送電するための送電線、および発電所から送電線を介して送電された電力を降圧するための配電用変圧器をまとめて示したものである。母線４は電源２に接続され、複数の遮断器６は母線４に接続される。配電線８は、母線４から遮断器６を介して引き出される。
【００２５】
負荷ノード１０は、配電線上の負荷を示したものである。なお、各負荷ノード１０に接続される負荷の数は特に限定されるものではない。負荷には様々な種類があるが、本実施の形態の説明においては代表的に住宅負荷および工場負荷を示すものとする。
【００２６】
電力供給の末端に存在する需要家の使用電力は常時一定ではなく、時間、日、月によって変動する。また、需要家の種類に応じて負荷の変動の傾向が異なる。このような負荷の時間変動を示すものとして負荷曲線がある。
【００２７】
図３に、負荷曲線の一例を示す。図３（Ａ）は、工場負荷の１日の変化を表わす日負荷曲線の一例を示した図である。図３（Ｂ）は、住宅負荷の１日の変化を表わす日負荷曲線の一例を示した図である。図３（Ａ）に示した工場負荷は、日中（たとえば１０時〜１７時）の負荷が高く、深夜および早朝の負荷が低くなる傾向にあるといえる。一方、図３（Ｂ）に示した住宅負荷は、日中は緩やかに上昇し、夕方（たとえば１６時以降）から大きく上昇して１９時頃にピークとなる。
【００２８】
たとえば配電線における１日の電圧変動を電力系統シミュレータによりシミュレーションするためには、ユーザが、負荷ノードごとに、１日の負荷の時間変動のデータをシミュレータに入力する必要がある。図４は、電力系統シミュレータに入力される工場負荷のデータの例を示す図である。図４を参照して、この例では、１時間ごとに有効電力（Ｐ）、無効電力（Ｑ）、および力率（ＰＦ）の値が与えられている。なお、図４に示した数値は一例である。
【００２９】
たとえば、有効電力（Ｐ）だけをシミュレータに入力すればよい場合であっても、１つの負荷ノードに対して２４個の数値データを入力する必要がある。図２に示したように、配電系統１上には複数の負荷ノードが存在する。したがって、データ入力作業に要するユーザの負担が著しく大きくなる。
【００３０】
このような問題を解決するための方法として、入力する数値データの個数を少なくすることが考えられる。たとえば２時間単位で有効電力の値が与えられたデータをユーザが入力することが考えられる。この場合、１つの負荷ノードに対して１２個の数値データを入力すればよくなる。しかし、単純に、数値データの個数を減らした場合、現実の負荷変動の傾向を配電系統モデル上の負荷ノードに反映できないことが考えられる。これによってシミュレーション結果の精度の低下等の影響（たとえば、妥当でない結果が得られることなど）が考えられる。
【００３１】
したがって、本実施の形態では、負荷種別ごとに、負荷曲線の形状の特徴が反映された関数（標準関数）が予め設定される。このような標準関数は、図３に示したような負荷曲線に基づいて決定される。
【００３２】
たとえば電力系統シミュレータのユーザが標準関数を決定する場合には、以下のような手順で標準関数が決定される。まずユーザは、負荷変動の特徴を反映した概略曲線をＸ軸（時間軸、たとえば１時間間隔で２４時間分）および、Ｙ軸（有効電力）平面に規格化した関数として描く。
【００３３】
次にユーザは、その関数を、負荷曲線の複数の特徴点を結ぶ線（曲線でも直線でもよい）を表す数式として表現する。この特徴点は、たとえば、負荷電力が最小となる負荷曲線上の点、負荷電力が最大となる負荷曲線曲線上の点、および、負荷曲線における変極点等である。なおＸ−Ｙ平面における特徴点の座標は既知であるとする。負荷曲線の規格化は、設備の定格容量あるいは対象曲線の最大値を基準値（１ｐｕ）とし、他の特徴点における負荷電力を、その基準値に対する割合として与えることにより行なわれる。このようにして、負荷種別ごとに、複数の特徴点を結んだ線を数式化した、時間と負荷との関係を示す標準関数が生成される。
【００３４】
図５は、負荷曲線モデルの一例を説明する図である。図５（Ａ）は、工場負荷の日負荷曲線モデルの一例を示す図である。図５（Ｂ）は、住宅負荷の日負荷曲線モデルの一例を示す図である。なお、図５では、Ｘ軸、Ｙ軸は、それぞれ１日の時間、および有効電力を示す。
【００３５】
図５（Ａ）を参照して、工場負荷の負荷曲線モデルは、特徴点１１〜１６を直線で結んだものとなる。特徴点１１，１２，１５，１６は、負荷電力が最小値Ｐｍｉｎとなる期間の始期および終期をそれぞれ示す、ＸＹ平面座標上の点である。特徴点１３，１４は、負荷電力が最小値Ｐｍａｘとなる期間の始期および終期をそれぞれ示すＸＹ平面座標上の点である。
【００３６】
特徴点１１，１２を結ぶ直線、特徴点１３，１４を結ぶ直線および特徴点１５，１６を結ぶ直線の各々は、０次関数によって表され、特徴点１２，１３を結ぶ直線および特徴点１４，１５を結ぶ直線の各々は、１次関数によって表される。
【００３７】
図５（Ｂ）を参照して、住宅負荷の負荷曲線モデルは、特徴点２１〜２９を直線で結んだものとなる。特徴点２１，２２，２３は、それぞれ負荷電力がＰｍｉｎからＰｍｉｎ２まで上昇する期間の始期、負荷電力がＰｍｉｎ２に達する点、負荷電力がＰｍｉｎ２からＰｍｉｎまで減少する期間の終期を示す点である。特徴点２４は、負荷電力がＰｍｉｎで一定である期間の終期を示す。特徴点２５，２６は、負荷曲線の変極点（図５（Ｂ）では直線の傾きが変わる点）である。特徴点２５，２６における負荷電力は、それぞれＰｍｉｎ１，Ｐｘｒとなる。特徴点２７は、負荷電力がＰｍａｘに達する時間を示す。特徴点２８は、負荷電力がＰｍａｘで一定である期間の終期を示す。特徴点２９は、負荷電力がＰｍａｘからＰｍｉｎまで減少する期間の終期を示す。図５（Ｂ）についても、負荷曲線モデルを示す関数は、０次関数および１次関数の組み合わせによって表すことができる。
【００３８】
図６は、本実施の形態による負荷曲線モデル（工場負荷の場合）の生成方法において、ユーザにより電力系統シミュレータに入力されるデータを示す図である。図６および図５（Ａ）を参照して、ユーザが電力系統シミュレータに入力するデータ項目は、特徴点１１〜１６の各々の時間およびＰｍｉｎ，Ｐｍａｘの値（定格電力に対する割合）となる。したがって入力項目の数は８となる。
【００３９】
図４と図６とを比較すれば分かるように、本実施の形態によれば、電力系統シミュレータ上で、１つの負荷ノードにおける負荷変動を与えるために必要な入力データの個数を削減できる。したがって本実施の形態によれば、一般的に、負荷ノードごとに負荷変動についてのデータを入力する必要がある電力系統シミュレータにおいて、データの入力に要するユーザの手間を大幅に削減することができる。
【００４０】
また、標準関数は、現実の負荷曲線の形状の特徴を示す関数であるため、標準関数と入力データとに基づいて負荷曲線モデルを生成することにより、現実の負荷曲線の形状の特徴を配電系統モデルでの負荷ノードに反映させることができる。よって、配電系統モデルを用いた電力系統シミュレーションの結果においても、ある程度の精度を確保することができる。
【００４１】
なお、ユーザが電力系統シミュレータに入力したデータおよび、予め定義した標準関数は、たとえば図１に示したハードディスク１０８に記憶され、ＣＰＵ１０２による負荷曲線モデルの生成処理の実行時にＣＰＵ１０２によって呼び出される。
【００４２】
図７は、図１に示した電力系統シミュレータに記憶される情報の一例を示した図である。図７（Ａ）は、電力系統シミュレータに記憶される特徴点の情報を示した図である。図７（Ａ）および図６を参照して、電力系統シミュレータ（主としてＣＰＵ１０２）は、ユーザが入力した情報に基づいて、負荷曲線モデル上の特徴点ごとに、時間と負荷電力との組のデータを生成し、そのデータをハードディスク１０８に記憶する。
【００４３】
図７（Ｂ）は、電力系統シミュレータに記憶される標準関数（工場負荷の場合）の一例を示した図である。図７（Ｂ）を参照して、始点および終点に対応する特徴点と、その始点および終点を結ぶ線に対応する関数が記憶される。なお、ａ１，ａ２（１次関数における変数ｘの係数）およびｂ１，ｂ２，ｃ１，ｃ２（定数項）は、図７（Ａ）に示されるＸおよびＹの値、すなわちユーザが入力したデータに基づいて決定される値である。すなわち、ユーザが入力したデータ（図６参照）に基づいて、ＣＰＵ１０２は、係数ａ１，ａ２および定数ｂ１，ｂ２，ｃ１，ｃ２を決定する。これによって負荷曲線モデルが生成される。
【００４４】
図８は、本実施の形態の電力系統シミュレータにより実行される標準関数の設定処理を示すフローチャートである。図８を参照して、処理が開始されると、ステップＳ０１において、ＣＰＵ１０２は、電力系統シミュレータのユーザが入力装置を介して入力した標準関数を受け付ける。ステップＳ０２において、ＣＰＵ１０２は、受け付けた標準関数をハードディスク１０８に記憶させる。
【００４５】
ステップＳ０３において、ＣＰＵ１０２は、他の標準関数の入力があるか否かを判定する。たとえばＣＰＵ１０２は、ある負荷種別に対応する標準関数の入力が終了するたびに、他の標準関数の入力を行なうか否かを確認するためのメッセージをディスプレイ１１８に表示させるとともに、ユーザからの指示を受け付ける。ＣＰＵ１０２が、他の標準関数の入力を行なう指示をユーザから受けた場合（ステップＳ０３においてＹＥＳ）、処理はステップＳ０１に戻る。一方、ＣＰＵ１０２が、標準関数の入力を終了する指示をユーザから受けた場合（ステップＳ０３においてＮＯ）、全体の処理は終了する。図８のフローチャートに示す処理によって、負荷種別ごとの標準関数が電力系統シミュレータに設定される。
【００４６】
図９は、本実施の形態の電力系統シミュレータにより実行される負荷曲線モデルの生成処理を示すフローチャートである。図９を参照して、処理が開始されると、ステップＳ１において、ユーザの指示により、負荷種別（たとえば工場負荷、住宅負荷等）が決定される。ステップＳ２において、ＣＰＵ１０２は、図８のフローチャートに示す処理によって負荷種別ごとに予め準備された複数の標準関数の中から、ステップＳ１において決定された負荷種別に対応する標準関数をハードディスク１０８から呼び出す。
【００４７】
ステップＳ３において、たとえば図６に示した特徴点を示すデータ（時間および負荷電力の少なくとも１つ）がユーザによって電力系統シミュレータに入力される。ステップＳ４において、電力系統シミュレータは、入力データおよび標準関数から、負荷曲線（負荷曲線モデル）を表す関数を生成する。ステップＳ４では、上述したように、たとえば図７（Ｂ）に示した標準関数における変数ｘの係数および定数項の値が決定される。ステップＳ４の処理が終了すると全体の処理が終了する。
【００４８】
図９に示したフローチャートに従う処理は、各負荷ノードに対して実行される。これにより、図１０のフローチャートに示されるシミュレーションが実行される。図１０は、本実施の形態に係る電力系統シミュレータによる電力系統シミュレーションの実行フローを示す図である。図１０に示すように、処理が開始されると、負荷ノードごとに設定された、負荷曲線モデルを示す関数を用いて、電力系統上に生じる電気的現象のシミュレーション（解析）が実行される（ステップＳ１１）。次にそのシミュレーションの結果が出力される（ステップＳ１２）。出力方法は、特に限定されないが、一例としてディスプレイ１１８にシミュレーション結果を表示する方法を挙げることができる。ステップＳ１２の処理が終了すると全体の処理が終了する。
【００４９】
このように、本実施の形態によれば、負荷の時間変動を示す標準関数が予め設定される。ユーザによって、特徴点に対応するデータが入力され、その入力データと標準関数とに基づいて負荷曲線モデルが生成される。これにより、ユーザは、特徴点の情報のみを入力するだけでよくなるので、データ入力作業に要する手間を減らすことができる。
【００５０】
さらに、本実施の形態では、入力データと標準関数とに基づいて負荷曲線モデルを生成することにより、負荷の種別ごとに異なりうる負荷変動の特徴を、その関数に反映させることができる。これにより、電力系統シミュレータによるシミュレーション結果の精度が著しく低下するのを抑制することが可能になる。したがって、たとえば、ある配電線の１日における電圧変化をシミュレーションの結果から大まかに把握することが可能になる。
【００５１】
（変形例）
本変形例では、予め設定された標準関数（標準的な負荷曲線）を、ユーザが更新することにより新しい標準関数を生成する。なお、本変形例の電力シミュレータの構成は図１に示した構成と同様であるので以後の説明は繰返さない。
【００５２】
図１１は、本実施の形態の変形例による標準関数の変更処理を示すフローチャートである。図１１および図１を参照して、ステップＳ２１において、ＣＰＵ１０２は、入力装置を介してユーザが入力した情報に基づいて変更対象の関数に対応する特徴点を選択する。
【００５３】
ステップＳ２２において、ＣＰＵ１０２は、入力装置を介してユーザが入力した情報に基づいて、その変更対象の特徴点を結ぶ線に対応する関数の次数を設定する。なお、関数の次数は特に限定されるものではない。
【００５４】
ステップＳ２３において、ＣＰＵ１０２は、変更対象の特徴点に対応する時間および負荷の情報、および、ステップＳ２２において設定された関数の次数に基づいて、新たな関数を設定する。たとえば、ステップＳ２１において３つの特徴点が指定され、ステップＳ２２において二次関数（ｙ＝ａｘ２＋ｂｘ＋ｃ)が指定されていれば３つの特徴点の各々の時間および負荷の情報からａ，ｂ，ｃが定められる。ステップＳ２３の処理の結果に基づいて、ＣＰＵ１０２は、ハードディスク１０８に記憶される標準関数を更新する。
【００５５】
図１２は、図７（Ｂ）に示す標準関数が更新された結果を示す図である。図１２および図７（Ｂ）を参照して、更新前の標準関数には、特徴点１１，１２をそれぞれ始点および終点とする０次関数および、特徴点１２，１３をそれぞれ始点および終点とする１次関数が含まれている。更新後の標準関数には、これらの関数に代えて、特徴点１１、１３をそれぞれ始点および終点とする２次関数が含まれる。このように３つの（あるいはそれより多くの）特徴点を曲線により結んだほうが、より現実に近い負荷変動を反映できる場合がある。本変形例によれば、現実の姿により近い負荷変動を示す関数を生成することが可能になる。したがって、ユーザのデータ入力に要する手間が増えるのを防ぎつつ、より精度の高いシミュレーション結果を得ることが可能になる。
【００５６】
なお、本実施の形態では、負荷の１日の時間変動について説明したが、負荷の時間変動は１日単位であると限定されず、たとえば１週間単位、１ヶ月単位等であってもよい。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本実施の形態に従う負荷曲線モデルの生成処理および電力系統シミュレーションを実行するコンピュータ１００の構成の一例を示した図である。
【図２】本実施の形態に係る電力系統シミュレーションに用いられる配電系統モデルを示した図である。
【図３】負荷曲線の一例を示した図である。
【図４】電力系統シミュレータに入力される工場負荷のデータの例を示す図である。
【図５】負荷曲線モデルの一例を説明する図である。
【図６】本実施の形態による負荷曲線モデル（工場負荷の場合）の生成方法において、ユーザにより電力系統シミュレータに入力されるデータを示す図である。
【図７】図１に示した電力系統シミュレータに記憶される情報の一例を示した図である。
【図８】本実施の形態の電力系統シミュレータにより実行される標準関数の設定処理を示すフローチャートである。
【図９】本実施の形態の電力系統シミュレータにより実行される負荷曲線モデルの生成処理を示すフローチャートである。
【図１０】本実施の形態に係る電力系統シミュレータによる電力系統シミュレーションの実行フローを示す図である。
【図１１】本実施の形態の変形例による標準関数の変更処理を示すフローチャートである。
【図１２】図７（Ｂ）に示す標準関数が更新された結果を示す図である。
【符号の説明】
【００５９】
１  配電系統、２  電源、４  母線、６  遮断器、８  配電線、１０  負荷ノード、１１〜１６，２１〜２９  特徴点、１００  コンピュータ、１０２  ＣＰＵ、１０４  ＲＯＭ、１０６  ＲＡＭ、１０８  ハードディスク、１１０  ＣＤ−ＲＯＭドライブ、１１２  ＣＤ−ＲＯＭ、１１４  マウス、１１６  キーボード、１１８  ディスプレイ、１２０  バス。
【図１】
2009213328.tif 000003
【図２】
2009213328.tif 000004
【図３】
2009213328.tif 000005
【図４】
2009213328.tif 000006
【図５】
2009213328.tif 000007
【図６】
2009213328.tif 000008
【図７】
2009213328.tif 000009
【図８】
2009213328.tif 000010
【図９】
2009213328.tif 000011
【図１０】
2009213328.tif 000012
【図１１】
2009213328.tif 000013
【図１２】
2009213328.tif 000014